(57)【要約】【課題】処理モード等を誤ったままジョブを実行させてしまった場合に、ジョブを緊急停止させ、大量に無駄な複写物が作製されてしまうことを回避する。【解決手段】全解除キーが押された際の処理動作を画像形成装置の動作状況に応じて切り換える。画像データの読み込み動作を行っている途中で全解除キーが押された場合には、この読み込み動作を強制的に緊急停止し、その処理モードを終了させる。また、画像データの読み込み動作を行っていない場合であって複写モードの選択中であるときに全解除キーが押された際には、画像形成動作の実行中であればその画像形成動作を一時的に中断する一方、画像形成動作の実行中でない場合には、処理動作を継続する。【選択図】図６
2006103341.tif 000002
【特許請求の範囲】
【請求項１】
画像データを取得する画像データ取得手段と、
前記画像データ取得手段により取得された画像データについてジョブを実行する画像出力手段と、
前記ジョブを複数予約可能なジョブ予約手段と、を備えた画像形成装置において、
前記ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、複写モードの選択中であって、画像出力手段による画像形成動作の実行中に操作キーによる中止の指示がなされると、その画像形成動作を中断し、その処理動作を中止するか否かを確認するメッセージを出力する一方、
前記複写モードの選択中であって、画像出力手段による画像形成動作の実行中でない場合に、前記操作キーによる中止の指示がなされても、前記画像形成動作以外の実行中の処理動作に対する中断処理を行わない構成となっていることを特徴とする画像形成装置。
【請求項２】
画像データを取得する画像データ取得手段と、
前記画像データ取得手段により取得された画像データについてジョブを実行する画像出力手段と、
前記ジョブを複数予約可能なジョブ予約手段と、を備えた画像形成装置において、
前記ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、複写モードの選択中であって、画像出力手段による画像形成動作の実行中に操作キーによる中止の指示がなされると、その画像形成動作を中断し、その処理動作を中止するか否かを確認するメッセージを出力する一方、
前記複写モードの選択中であって、送信モードによる画像データの送信中に、前記操作キーによる中止の指示がなされても、その送信動作を中断させることなく継続して行う構成となっていることを特徴とする画像形成装置。
【請求項３】
前記画像データ取得手段による取得動作の実行中に、前記操作キーによる中止の指示がなされると、処理モードに係わらず、前記取得動作の中止の処理を実行させることを特徴とする請求項１または２に記載の画像形成装置。
【請求項４】
画像データを取得する画像データ取得手段と、
前記画像データ取得手段により取得された画像データについてジョブを実行する画像出力手段と、
前記ジョブを複数予約可能なジョブ予約手段と、を備えた画像形成装置において、
前記ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、複写モードにおける画像出力手段による画像形成動作の実行中に操作キーによる中止の指示がなされると、その画像形成動作を中断し、その画像形成動作を中止するか否かを確認するメッセージを出力する一方、
送信モードにおける画像データの送信中に操作キーによる中止の指示がなされても、その送信動作を中断させることなく継続して行うが、
前記処理モードに係わらず、前記画像データ取得手段による取得動作の実行中に、前記操作キーによる中止の指示がなされた場合には、前記取得動作の中止の処理を実行させることを特徴とする画像形成装置。
【請求項５】
画像データ読み取り手段と、
前記画像データ読み取り手段により読み込まれた画像データについて出力ジョブを実行する画像出力手段と、
前記出力ジョブを複数予約可能なジョブ予約手段と、を備えた画像形成装置において、
前記出力ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、複写モードにおける画像出力手段による画像形成動作の実行中に前記操作キーによる中止の指示がなされると、その画像形成動作を中断し、その画像形成動作を中止するか否かを確認するメッセージを出力する一方、
送信モードにおける画像データの送信中に操作キーによる中止の指示がなされても、その送信動作を中断させることなく継続して行うが、
前記処理モードに係わらず、前記画像データ読み取り手段による読み込み動作の実行中に、前記操作キーによる中止の指示がなされた場合には、前記読み込み動作の中止の処理を実行させることを特徴とする画像形成装置。
【請求項６】
画像データ読み取り手段と、
前記画像データ読み取り手段により読み込まれた画像データについて出力ジョブを実行する画像出力手段と、
前記出力ジョブを複数予約可能なジョブ予約手段と、を備えた画像形成装置において、
前記出力ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、画像出力手段による画像形成動作の実行中に操作キーによる中止の指示がなされると、その画像形成動作を中断し、その処理動作を中止するか否かを確認するメッセージを出力する一方、
前記画像データ読み取り手段による画像データの読み込み動作を行っていない場合であって、前記画像出力手段による画像形成動作の実行中でない場合には、前記操作キーによる中止の指示がなされても、前記画像形成動作以外の実行中の処理動作を中断させることなく継続して行う構成となっていることを特徴とする画像形成装置。
【請求項７】
画像データ読み取り手段と、
前記画像データ読み取り手段により読み込まれた画像データについて出力ジョブを実行する画像出力手段と、
前記出力ジョブを複数予約可能なジョブ予約手段と、を備えた画像形成装置において、
前記出力ジョブに対する中止の指示を行うことが可能な操作キーと、
前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えており、
この制御手段は、複写モードにおける画像出力手段による画像形成動作の実行中に前記操作キーによる中止の指示がなされると、その画像形成動作を中断し、その処理動作を中止するか否かを確認するメッセージを出力する一方、
前記画像データ読み取り手段による画像データの読み込み動作を行っていない場合であって、送信モードにおける画像データの送信中に、前記操作キーによる中止の指示がなされても、実行中の送信動作を中断させることなく継続して行う構成となっていることを特徴とする画像形成装置。
【請求項８】
前記画像データ読み取り手段による読み込み動作の実行中に、前記操作キーによる中止の指示がなされると、処理モードに係わらず、前記読み込み動作の中止の処理を実行させることを特徴とする請求項６または７に記載の画像形成装置。
【発明の詳細な説明】
【技術分野】
【０００１】
本発明はデジタル複写機等に代表される画像形成装置に係る。
【背景技術】
【０００２】
従来より、複写モード、ファクシミリモード、プリンタモード等の複数の処理モードを備えた複合型のデジタル画像形成装置が知られている。複写モードでは、原稿の画像データを読み取り、それに基づいて記録用紙への画像形成を行う。ファクシミリモードでは、原稿画像データのファクシミリ送信や、受信したファクシミリ画像データに基づいて記録用紙への画像形成を行う。プリンタモードでは、ネットワーク（例えばＬＡＮ：Local Area Network）を介して接続された情報処理端末（例えばパーソナルコンピュータ）からの画像データに基づいて記録用紙への画像形成を行う。
【０００３】
上記各処理モードの切り換えは、画像形成装置の上面に設けられた操作パネルをユーザが操作するなどして行われる。また、ユーザは、処理モードを選択した後、更に操作パネルの操作によって各種の画像形成条件等を任意に設定することが可能である。例えば、複写モードにおける複写枚数や画像濃度、ファクシミリモードにおける送信先のファクシミリ番号等が操作パネルの操作によって入力可能である。
【０００４】
ところが、この種の複合型画像形成装置にあっては、一つの操作パネル上で処理モードの選択や選択した処理モードにおける画像形成条件等の設定を行わねばならないため、その操作性が良好であることが要求されている。
【０００５】
このため、操作パネルには、例えば、処理モードを容易に切り換え可能とするモード選択キーが備えられたり、複写モードにおける複写枚数の入力とファクシミリモードにおける送信先のファクシミリ番号の入力とが行える共通の入力手段としてのテンキーが備えられている。つまり、複写動作を実行する場合には、モード選択キーの操作によって複写モードを選択すると共にテンキーの操作によって複写枚数の入力を行い、スタートキーを押すことで複写動作が実行される。一方、ファクシミリ送信を実行する場合には、モード選択キーの操作によってファクシミリモードを選択すると共にテンキーの操作によって送信先のファクシミリ番号の入力を行い、スタートキーを押すことでファクシミリ送信が実行される。
【０００６】
このように、モード選択キーを備えさせたり、各処理モードにおけるキーの共通化を図ることによって操作パネル上のキーの数を必要最小限に抑え、操作パネルの簡素化を図って操作性を良好に確保している。
【０００７】
また、この種の複合型画像形成装置にあっては、複数ユーザからの処理実行命令を受けるべく、複数ジョブの予約が可能となっている。つまり、処理実行命令を受けた順に、各ジョブの処理モード及び各種条件（印刷条件等）をメモリに記憶しておき、この予約順に処理モードを切り換えながら各処理動作を実行していくといった構成が採用されている。図９（ａ）は、この複数ジョブが予約された際において、操作パネル上の基本画面８１とジョブステータス画面（ジョブの予約状況を表示する画面）８２とが一部重ね合わされて表示されている状態を示している。このような２画面の表示状態は例えば特許文献１に開示されている。この図では、「１−複写モード」、「２−プリンタモード」、「３−ファクシミリモード」、「４−プリンタモード」の順でジョブが予約された状態となっている。
【０００８】
また、この予約された複数ジョブのうち何れかのジョブをキャンセル（ジョブステータス画面８２上から削除）する場合には、操作パネル上の図示しないジョブステータス表示キーを押して、図９（ｂ）に示すように、ジョブステータス画面８２の全面を表示させる。このジョブステータス画面８２には、現在予約されている複数ジョブの予約状況が一覧表示されている。そして、キャンセルするジョブをアップダウンキー８２ｄの操作によって選択し、図９（ｃ）に示すようにジョブステータス画面８２上に表示されたデリート確認画面８３で「ＹＥＳ」を押す。更に、その後、操作パネルの表示が基本画面８１に戻った状態でデリート確認画面８３が再度表示され、この画面上で「ＹＥＳ」を押すことによって特定のジョブをキャンセルすることができる。図９に示すものでは、第１番目のジョブとして予約されている「１−複写モード」をキャンセルする場合を示している。実際には、この「１−複写モード」は第１番目に予約されているため、既に複写動作が開始されており、この複写動作実行中にジョブをキャンセル（複写動作を中止）する状況となっている。
【特許文献１】特開２００１−１５４７７３号公報
【発明の開示】
【発明が解決しようとする課題】
【０００９】
ところで、上述したような操作パネルを採用した場合、モード選択キーの操作のみで処理モードが容易に切り換わるため、画像形成動作等を実行する際には、ユーザは所望の処理モードが選択されているか否かを確認することが必要不可欠である。この確認を怠った場合には、ユーザが望まない処理モードで画像形成動作等が実行されてしまう可能性がある。
【００１０】
例えば、ユーザがファクシミリ送信を実行しようとした場合に、モード選択キーの操作を誤り、且つ選択された処理モードの確認を怠ったために、複写モードに設定されてしまうことがある。この場合、ユーザは、装置が複写モードに設定されていることを知らずにテンキーの操作によって送信先のファクシミリ番号の入力操作を行う。つまり、ユーザはテンキーの操作によって送信先のファクシミリ番号の入力を行ったつもりであっても、実際には複写モードにおける複写枚数の入力が行われたことになってしまう。このため、複数桁数で成るファクシミリ番号が複写枚数として設定されることになり、この状態でスタートキーを押して処理動作を実行させると、大量枚数の複写動作が開始されることになってしまう。
【００１１】
この場合、ユーザは、複写動作が実行されたことを見て、モード選択キーの操作を誤ったことに気付き、この実行中のジョブ（複写動作）をキャンセルする操作を行うことになる。しかしながら、このジョブをキャンセルする操作としては、上述した如く、操作パネルの基本画面８１上のジョブステータス表示キーを押し、ジョブステータス画面８２上でキャンセルするジョブを選択し、ジョブステータス画面８２上のデリート確認画面８３で「ＹＥＳ」を押し、更に、基本画面８１上に再度表示されたデリート確認画面８３で「ＹＥＳ」を押すといった操作を行わねばならない。つまり、この操作が完了するまでは、上記誤設定による複写動作が継続して実行されてしまい、その間に無駄な複写動作が行われることになる。特に、近年、画像形成装置の高速化が進んでいるため、上記キャンセル操作が完了するまでの間に大量に無駄な複写物が作製されてしまうといった不具合が生じる。
【課題を解決するための手段】
【００１２】
本発明の解決手段は、画像データを取得する画像データ取得手段と、前記画像データ取得手段により取得された画像データについてジョブを実行する画像出力手段と、前記ジョブを複数予約可能なジョブ予約手段とを備えた画像形成装置を前提とする。この画像形成装置に対し、前記ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、複写モードの選択中であって、画像出力手段による画像形成動作の実行中に操作キーによる中止の指示がなされると、その画像形成動作を中断し、その処理動作を中止するか否かを確認するメッセージを出力する一方、前記複写モードの選択中であって、画像出力手段による画像形成動作の実行中でない場合に、前記操作キーによる中止の指示がなされても、前記画像形成動作以外の実行中の処理動作に対する中断処理を行わない構成となっている。
【００１３】
また、画像データを取得する画像データ取得手段と、前記画像データ取得手段により取得された画像データについてジョブを実行する画像出力手段と、前記ジョブを複数予約可能なジョブ予約手段とを備えた画像形成装置を前提とする。この画像形成装置に対し、前記ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、複写モードの選択中であって、画像出力手段による画像形成動作の実行中に操作キーによる中止の指示がなされると、その画像形成動作を中断し、その処理動作を中止するか否かを確認するメッセージを出力する一方、前記複写モードの選択中であって、送信モードによる画像データの送信中に、前記操作キーによる中止の指示がなされても、その送信動作を中断させることなく継続して行う構成となっている。
【００１４】
また、上記各解決手段において、前記画像データ取得手段による取得動作の実行中に、前記操作キーによる中止の指示がなされると、処理モードに係わらず、前記取得動作の中止の処理を実行させるようにしている。
【００１５】
また、画像データを取得する画像データ取得手段と、前記画像データ取得手段により取得された画像データについてジョブを実行する画像出力手段と、前記ジョブを複数予約可能なジョブ予約手段とを備えた画像形成装置を前提とする。この画像形成装置に対し、前記ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、複写モードにおける画像出力手段による画像形成動作の実行中に操作キーによる中止の指示がなされると、その画像形成動作を中断し、その画像形成動作を中止するか否かを確認するメッセージを出力する一方、送信モードにおける画像データの送信中に操作キーによる中止の指示がなされても、その送信動作を中断させることなく継続して行うが、前記処理モードに係わらず、前記画像データ取得手段による取得動作の実行中に、前記操作キーによる中止の指示がなされた場合には、前記取得動作の中止の処理を実行させるようにしている。
【００１６】
更に、画像データ読み取り手段と、前記画像データ読み取り手段により読み込まれた画像データについて出力ジョブを実行する画像出力手段と、前記出力ジョブを複数予約可能なジョブ予約手段とを備えた画像形成装置を前提とする。この画像形成装置に対し、前記出力ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、複写モードにおける画像出力手段による画像形成動作の実行中に前記操作キーによる中止の指示がなされると、その画像形成動作を中断し、その画像形成動作を中止するか否かを確認するメッセージを出力する一方、送信モードにおける画像データの送信中に操作キーによる中止の指示がなされても、その送信動作を中断させることなく継続して行うが、前記処理モードに係わらず、前記画像データ読み取り手段による読み込み動作の実行中に、前記操作キーによる中止の指示がなされた場合には、前記読み込み動作の中止の処理を実行させるようにしている。
【００１７】
また、画像データ読み取り手段と、前記画像データ読み取り手段により読み込まれた画像データについて出力ジョブを実行する画像出力手段と、前記出力ジョブを複数予約可能なジョブ予約手段とを備えた画像形成装置を前提とする。この画像形成装置に対し、前記出力ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、画像出力手段による画像形成動作の実行中に操作キーによる中止の指示がなされると、その画像形成動作を中断し、その処理動作を中止するか否かを確認するメッセージを出力する一方、前記画像データ読み取り手段による画像データの読み込み動作を行っていない場合であって、前記画像出力手段による画像形成動作の実行中でない場合には、前記操作キーによる中止の指示がなされても、前記画像形成動作以外の実行中の処理動作を中断させることなく継続して行う構成となっている。
【００１８】
また、画像データ読み取り手段と、前記画像データ読み取り手段により読み込まれた画像データについて出力ジョブを実行する画像出力手段と、前記出力ジョブを複数予約可能なジョブ予約手段とを備えた画像形成装置を前提とする。この画像形成装置に対し、前記出力ジョブに対する中止の指示を行うことが可能な操作キーと、前記ジョブ予約手段に予約されたジョブの実行中に、前記操作キーによる中止の指示がなされると、画像形成装置の動作状況に応じて、前記ジョブ予約手段に予約されており且つ実行中のジョブの処理を行う制御手段とを備えさせる。そして、この制御手段は、複写モードにおける画像出力手段による画像形成動作の実行中に前記操作キーによる中止の指示がなされると、その画像形成動作を中断し、その処理動作を中止するか否かを確認するメッセージを出力する一方、前記画像データ読み取り手段による画像データの読み込み動作を行っていない場合であって、送信モードにおける画像データの送信中に、前記操作キーによる中止の指示がなされても、実行中の送信動作を中断させることなく継続して行う構成となっている。
【００１９】
また、前記画像データ読み取り手段による読み込み動作の実行中に、前記操作キーによる中止の指示がなされると、処理モードに係わらず、前記読み込み動作の中止の処理を実行させるようにしている。
【発明の効果】
【００２０】
本発明では、操作キーが操作された際、画像形成装置の動作状況に応じて実行中のジョブを緊急停止させることが可能である。例えば、処理モードの選択や画像形成条件の設定などを誤ったままジョブを実行させてしまった場合に、ジョブを緊急停止させることが可能である。このため、大量に無駄な複写物が作製されてしまうといった従来の不具合を回避することができる。また、画像形成動作中断時には確認メッセージを出力するようにしているので、不用意にジョブがキャンセルされてしまうといった状況を回避することができ、装置の動作の信頼性を高めることができる。
【発明を実施するための最良の形態】
【００２１】
以下、本発明の実施の形態を図面に基づいて説明する。本実施形態では、複写モード、ファクシミリモード及びプリンタモードを備えた複合型デジタル画像形成装置に本発明を適用した場合について説明する。
【００２２】
このように、本形態に係る画像形成装置１は、複数の処理モードを備えており、図２に示すように、パーソナルコンピュータ（ホストコンピュータ）ＰＣ及び電話回線Ｌが接続されていて、これらパーソナルコンピュータＰＣ及び電話回線Ｌに対する画像データ等の送受信が可能となっている。
【００２３】
（第１実施形態）
先ず、本発明に係る第１実施形態について説明する。
【００２４】
−画像形成装置１の全体構成の説明−
図１は本形態に係る画像形成装置１の内部構成の概略を示している。この図１のように、本画像形成装置１は、画像データ取得手段としてのスキャナ部２、記録媒体としての記録用紙Ｐへの画像形成を行う画像出力手段としての画像形成部３及びこの画像形成部３へ記録用紙Ｐを搬送する用紙搬送機構４を備えている。以下、各部について説明する。
【００２５】
＜スキャナ部２の説明＞
スキャナ部２は、透明なガラス等で成る原稿載置台２１と、この原稿載置台２１上に原稿を給紙する両面対応自動原稿送り装置（ＲＡＤＦ；Recirculating Automatic Document Feeder）２２とを備えており、この原稿載置台２１上の原稿の画像を読み取って画像データを作成する部分である。
【００２６】
上記ＲＡＤＦ２２は、セットされた複数枚の原稿を１枚ずつ原稿載置台２１上に自動給紙するための自動給紙トレイ２２ａを備えている。また、このＲＡＤＦ２２は、ユーザの選択に応じて原稿の片面または両面を後述するスキャナユニット２３に読み取らせることができるようになっている。具体的には、自動給紙トレイ２２ａ上の原稿を原稿載置台２１上に搬送するための搬送経路、原稿の両面をスキャナユニット２３に読み取らせるべく原稿を反転させる反転経路を備えている。そして、原稿の片面のみを読み取らせる場合には搬送経路のみを使用する一方、原稿の両面を読み取らせる場合には搬送経路を経て原稿載置台２１上に搬送された原稿を反転経路において反転させて原稿載置台２１上に再度搬送するようになっている。このため、各経路には搬送経路切り換え手段及び原稿の搬送位置を認識するためのセンサ群（共に図示省略）が設けられている。ＲＡＤＦ２２の構成については従来より周知であるため詳細な説明は省略する。
【００２７】
また、このスキャナ部２は、原稿載置台２１上に搬送された原稿の画像を読み取るためのスキャナユニット２３を備えている。このスキャナユニット２３は、ランプリフレクタアセンブリ２４、複数の反射ミラー２５ａ，２５ｂ，２５ｃ、光学レンズ体２６、光電変換素子（ＣＣＤ）２７を備えている。
【００２８】
上記ランプリフレクタアセンブリ２４は、原稿載置台２１上に載置された原稿に対して光を照射するものである。各反射ミラー２５ａ，２５ｂ，２５ｃは、図１に二点鎖線で光路を示すように、原稿からの反射光を一旦図中左方向に反射させた後、下方に反射させ、その後、光学レンズ体２６に向かうように図中右方向に反射させるようになっている。
【００２９】
原稿の画像読み取り動作として、上記原稿載置台２１上に原稿が載置されると、ランプリフレクタアセンブリ２４及び反射ミラー２５ａで成る第１走査ユニット２３ａが原稿載置台２１に沿って水平方向に走査して、原稿全体に光を照射する。この際、反射ミラー２５ｂ，２５ｃで成る第２走査ユニット２３ｂは上記第１走査ユニット２３ａに対して所定比率の速度（第１走査ユニット２３ａに対して半分の速度）で同方向に移動する。そして、上記各反射ミラー２５ａ，２５ｂ，２５ｃで反射されて光学レンズ体２６を通過した光は光電変換素子２７上に結像され、この光電変換素子２７において反射光が電気信号（原稿画像データ）に変換されるようになっている。そして、このようにして得られた画像データは、後述する画像処理部６Ｊ（図２参照）へ送信され、ここで各種処理が行われた後、画像メモリ６Ｇに一旦記憶され、出力指示に応じて画像メモリ６Ｇ内の画像データが読み出されて画像形成部３による画像形成動作に利用される。
【００３０】
＜画像形成部３の説明＞
画像形成部３は、レーザ書き込みユニット３１及び電子写真プロセス部３２を備えている。レーザ書き込みユニット３１は、上記光電変換素子２７において変換された原稿画像データやパーソナルコンピュータＰＣから送信された画像データ等に基づいたレーザ光を電子写真プロセス部３２の感光体ドラム３３の表面に照射するものである。具体的には、このレーザ書き込みユニット３１は、上記画像データに応じたレーザ光を照射する半導体レーザ光源、このレーザ光を等角速度偏向するポリゴンミラー、この等角速度偏向されたレーザ光が感光体ドラム３３上で等角速度偏向されるように補正するｆ−θレンズ等を有している。
【００３１】
感光体ドラム３３は、図１中に矢印で示す方向に回転し、レーザ書き込みユニット３１からのレーザ光が反射ミラー３１ａで反射されて照射されることによってその表面に静電潜像が形成されるようになっている。
【００３２】
また、電子写真プロセス部３２は、上記感光体ドラム３３の周囲に、帯電器３４、現像器３５、転写器３６、除電器３８、剥離器、クリーニング器３７及び定着器３９が配置されて成っている。帯電器３４は、静電潜像が形成される前の感光体ドラム３３の表面を所定の電位に帯電させるようになっている。現像器３５は、感光体ドラム３３の表面に形成された静電潜像を画像形成物質としてのトナーにより可視像に現像するものである。転写器３６は、感光体ドラム３３の表面に形成されたトナー像を記録用紙Ｐに転写するものである。定着器３９は、記録用紙Ｐに転写されたトナー像を加熱により記録用紙Ｐ上に定着させるものである。除電器３８は、感光体ドラム３３の表面の残留電荷を除去するものである。剥離器及びクリーニング器３７は、トナー転写後において感光体ドラム３３の表面に残留したトナーを除去するようになっている。
【００３３】
これにより、記録用紙Ｐに画像を形成する際には、帯電器３４によって感光体ドラム３３の表面が所定の電位に帯電され、レーザ書き込みユニット３１が画像データに基づいたレーザ光を感光体ドラム３３の表面に照射して静電潜像を形成する。その後、現像器３５が感光体ドラム３３の表面にトナーによる可視像を現像し、用紙搬送機構４から給紙された記録用紙Ｐに対して、転写器３６によってトナー像が転写される。その後、この記録用紙Ｐは定着器３９によって加熱され、トナー像が定着される。一方、感光体ドラム３３の表面の残留電荷は除電器３８によって除去されると共に、感光体ドラム３３の表面に残留したトナーは剥離器及びクリーニング器３７によって除去される。これにより、記録用紙Ｐへの画像形成動作（印字動作）の１サイクルが終了する。このサイクルが繰り返されることにより、複数枚の記録用紙Ｐ，Ｐ，…に対して連続的に画像形成を行うことができるようになっている。
【００３４】
＜用紙搬送機構４の説明＞
用紙搬送機構４は、第１、第２及び第３の用紙カセット４１，４２，４３、マルチ手差しトレイ４４に収容された記録用紙Ｐ，Ｐ，…を１枚ずつ搬送して上記画像形成部３による画像形成を行わせると共に、画像形成された記録用紙Ｐを第１、第２または第３の排紙トレイ５１，５２，５３へ排出するものである。また、この用紙搬送機構４は、片面に画像形成された記録用紙Ｐを一旦回収した後に他面に対して画像形成部３による画像形成を行わせるための両面複写ユニット４５を備えている。
【００３５】
各用紙カセット４１，４２，４３それぞれには異なるサイズの記録用紙Ｐ，Ｐ，…が収容されており、ユーザが所望するサイズの記録用紙Ｐが収容されている用紙カセットから記録用紙Ｐが順次１枚ずつ取り出されて搬送経路４０を経て画像形成部３に順次搬送されるようになっている。
【００３６】
この用紙搬送機構４の搬送経路４０としては、主搬送路４６と反転搬送路４７とがある。
【００３７】
主搬送路４６は、一端（記録用紙搬送方向の上流端側）が分岐されて各用紙カセット４１，４２，４３及び手差しトレイ４４の排出側にそれぞれ対向していると共に、他端（記録用紙搬送方向の下流端側）が転写器３６及び定着器３９を経て排紙トレイ５１，５２，５３を備えた後処理装置５０に対向している。
【００３８】
反転搬送路４７は、一端（図中の上端）が定着器３９の配設位置よりも下流側（図中左側）で主搬送路４６に繋がっていると共に、途中部分（図中上下方向の中央部分）が第１及び第２の分岐路４７Ａ，４７Ｂに分岐されている。第１分岐路４７Ａは鉛直下方に延びている。一方、第２分岐路４７Ｂは一端が両面複写ユニット４５の搬入側に対向している。
【００３９】
主搬送路４６と反転搬送路４７との接続部分及び反転搬送路４７の分岐部分には第１及び第２の分岐爪４７ａ，４７ｂがそれぞれ設けられている。
【００４０】
第１分岐爪４７ａは、反転搬送路４７を閉鎖する第１位置と、主搬送路４６の排出側を閉塞して、この主搬送路４６と反転搬送路４７とを連通させる第２位置との間で水平軸回りに回動自在となっている。この第１分岐爪４７ａが第１位置にあるときには画像形成部３を経た記録用紙Ｐがそのまま排紙トレイ５１，５２，５３へ排紙される。一方、第１分岐爪４７ａが第２位置にあるときには画像形成部３を経た記録用紙Ｐが反転搬送路４７へ供給されるようになっている。
【００４１】
第２分岐爪４７ｂは、反転搬送路４７の第１分岐路４７Ａを開放し且つ第２分岐路４７Ｂを閉鎖する第１位置と、第２分岐路４７Ｂを開放し且つ第１分岐路４７Ａを閉鎖する第２位置との間で水平軸回りに回動自在となっている。この第２分岐爪４７ｂが第１位置にあるときには反転搬送路４７に搬送された記録用紙Ｐが第１分岐路４７Ａに導かれてその下端位置まで搬送される。その後、第２分岐爪４７ｂが第２位置となって記録用紙Ｐの搬送方向が逆転されると、この記録用紙Ｐが分岐部を経て第２分岐路４７Ｂに搬送されて両面複写ユニット４５へ供給されるようになっている。つまり、記録用紙Ｐが、第１分岐路４７Ａ及び第２分岐路４７Ｂを経て両面複写ユニット４５へ供給されることにより、この記録用紙Ｐが画像形成部３に供給された際に上下が反転され、記録用紙Ｐの裏面に対して画像形成が行えるようになっている。
【００４２】
主搬送路４６の上流端（用紙カセット４１，４２，４３、手差しトレイ４４及び両面複写ユニット４５の排出側に対向する部分）にはピックアップローラ４８が配設されている。また、各ピックアップローラ４８の下流側には、取り出された記録用紙Ｐを主搬送路４６に給紙するための複数の給紙ローラ４９が配設されている。このピックアップローラ４８及び給紙ローラ４９の回転により、用紙カセット４１，４２，４３、手差しトレイ４４及び両面複写ユニット４５に収容されている記録用紙Ｐが選択的に１枚ずつ主搬送路４６に給紙できるようになっている。
【００４３】
また、上述したように本画像形成装置１の排紙部としては、上下２段の第１及び第２の排紙トレイ５１，５２と、後処理装置５０に内装された図示しないステープルフィニッシャを装備した１個の第３排紙トレイ５３とを備えている。つまり、後処理装置５０の内部には、主搬送路４６の下流端と各排紙トレイ５１，５２，５３とを繋ぐ搬送路が備えられており、記録用紙Ｐが排紙される排紙トレイ５１，５２，５３に応じて搬送経路が切り換えられるようになっている。
【００４４】
＜制御系の構成説明＞
図２は、本画像形成装置１の制御系の構成を示すブロック図である。この図に示すように、本画像形成装置１は、制御部６Ａ、システムメモリ６Ｂ、スキャナ部コントローラ６Ｃ、画像形成コントローラ６Ｄ、操作表示部６Ｅ、符号化復号化部６Ｆ、画像メモリ６Ｇ、ファクシミリモデム６Ｈ、網制御装置６Ｉ、画像処理部６Ｊ、ジョブ予約手段としてのジョブ管理部６Ｋ、通信インターフェイス６Ｌを備えている。これらがシステムバスＳＢに接続されて相互にデータの送受信が行われる構成となっている。
【００４５】
上記制御部６Ａは、所謂ＣＰＵ（Central Processing Unit）として構成され、本画像形成装置１を構成する各手段２，３，４との間でデータ信号や制御信号の送受信を行って複写動作やプリント動作などを統括的に制御したり、回覧転送機能を含むファクシミリ伝送制御を行うものである。
【００４６】
システムメモリ６Ｂは、ＲＯＭ（Read Only Memory）及びＲＡＭ（Random Access Memory）によって構成されており、上記制御部６Ａが実行する制御処理プログラムやこのプログラムを実行する際に必要な各種データ等を記憶すると共に、制御部６Ａのワークエリアを構成している。
【００４７】
スキャナ部コントローラ６Ｃは、上記スキャナ部２におけるスキャニング動作の制御を行うものである。
【００４８】
画像形成コントローラ６Ｄは、上記画像形成部３における画像形成動作の制御を行うものである。
【００４９】
操作表示部６Ｅは、本画像形成装置１の上部に配置された操作パネル７（図３参照）の表示状態を制御したり、ユーザが操作パネル７上のキーを操作した際の操作信号を受信するものである。特に、本操作表示部６Ｅは、操作パネル７上のジョブステータス表示キー７６が押された際に、操作パネル７の表示部７Ａの表示状態が、基本画面８１（図４参照）とジョブステータス画面８２（図５参照）との間で切り換えられるようになっている。この操作パネル７の構成及びその表示状態の切り換え動作の詳細については後述する。
【００５０】
符号化復号化部６Ｆは、画像信号を符号化圧縮すると共に、この符号化圧縮されている画像信号を元の画像信号に復号化するためのものである。
【００５１】
画像メモリ６Ｇは、上記符号化復号化部６Ｆにおいて符号化圧縮された画像信号を一時的に記憶するものである。
【００５２】
ファクシミリモデム６Ｈは、Ｇ３ファクシミリのモデム機能を実現するためのものであり、伝送手順信号を送受信するための低速モデム機能と、主に画像情報を送受信するための高速モデム機能を備えている。
【００５３】
網制御装置６Ｉは、ファクシミリの送受信を行う際にファクシミリモデム６Ｈを公衆電話回線網に接続するものであり、自動発着機能を備えている。
【００５４】
画像処理部６Ｊは、上記画像メモリ６Ｇに記憶されている画像データに対して圧縮、伸長、回転、変倍などの処理を行うものである。
【００５５】
ジョブ管理部６Ｋは、複数ユーザからの処理実行命令を受けた際に、これら複数ジョブの予約状況を管理するものである。つまり、複数ジョブの実行命令を受けると、その順に各ジョブの処理モード及び各種条件（印刷条件等）をメモリに記憶しておき、この予約順に処理モードを切り換えながら各処理動作が実行されるように制御するものである。
【００５６】
通信インターフェイス６Ｌは、パーソナルコンピュータＰＣからの画像データを受け入れるための通信インターフェイス手段であって、パーソナルコンピュータＰＣからの印字要求（印刷ジョブ情報の受信）があった場合には、その情報に基づいて上記画像形成動作を実行するようになっている。
【００５７】
このように構成されている画像形成装置１の基本動作として、複写動作にあっては、上述した如く原稿の画像を読み取って記録用紙Ｐへの画像形成を行う。また、プリント動作にあっては、パーソナルコンピュータＰＣから画像データとしてのプリントデータを受信し、そのデータをプリントアウトする。また、本画像形成装置１はスキャナとして使用することも可能であり、このスキャナ動作にあっては、原稿載置台２１上にセットされた原稿の画像を読み取り、それをスキャニング画像データとしてパーソナルコンピュータＰＣに送信する。更に、原稿の画像をファクシミリ送信するファクシミリ送信動作にあっては、スキャナ部２によって原稿の画像を読み取り、それをファクシミリ画像データとして、ファクシミリモデム６Ｈ、網制御装置６Ｉを経て電話回線Ｌに出力する。ファクシミリ受信動作にあっては、電話回線Ｌを経て受信したファクシミリ画像データを画像形成部３によってプリントアウトする。このように、本画像形成装置１は、複写機能、ファクシミリ機能、プリンタ機能、スキャナ機能、好ましくは電子メールにより情報をやりとりするインターネットファックス機能などを備えた多機能型の複合機として構成されており、ネットワーク上の各種データ処理装置との間で情報のやりとりを行うようになっている。
【００５８】
そして、本形態の特徴とする構成として、上記制御部６Ａは処理動作切換手段としての処理動作切換部（制御手段）６Ｍを備えている。この処理動作切換部６Ｍは、後述する操作パネル７上に設けられた全解除キー（操作キー）７４が押された際の処理動作を、画像形成装置１の作動状況に応じて切り換えるようになっている。
【００５９】
具体的には、画像形成装置１が画像データの読み込み動作を行っている途中であるか否かによって全解除キー７４が押された際の処理動作を切り換えると共に、画像データの読み込み動作を行っていない場合には複写モードの選択中であるか否かによっても処理動作を切り換えるようにしている。詳しくは、画像データの読み込み動作を行っている途中で全解除キー７４が押された場合には、この読み込み動作を強制的に緊急停止し、その処理モードを終了させる。また、画像データの読み込み動作を行っていない場合であって複写モードの選択中であるときに全解除キー７４が押された際には、画像形成部３における画像形成動作の実行中であればその画像形成動作を一時的に中断する一方、画像形成部３における画像形成動作の実行中でない場合には、実行中の処理動作を中断させることなく継続する。更に、画像データの読み込み動作を行っていない場合であって複写モードの選択中でないときに全解除キー７４が押された際にも、実行中の処理動作を中断させることなく継続する。
【００６０】
また、処理動作切換部６Ｍは、画像形成動作を一時的に中断した際、全解除キー７４の操作に伴う処理動作を実行するか否かをユーザに確認させるための確認メッセージを操作パネル７の表示部７Ａに表示するようになっている。
【００６１】
更に、処理動作切換手段６Ｍは、この確認メッセージを出力した後、所定時間以内にユーザからの確認操作がない場合には、全解除キー７４が操作されたことをキャンセルするようにして、一時的に中断していた画像形成動作を再開するようにしている。
【００６２】
尚、以上の処理動作切換手段６Ｍによる処理動作の詳細はフローチャートを用いて後述する。
【００６３】
また、本形態では、全解除キー７４が押された際の処理動作を画像形成装置１の作動状況に応じて切り換えるようにしているが、クリアキー７３が押された際の処理動作を画像形成装置１の作動状況に応じて切り換えるようにしてもよい。また、全解除キー７４及びクリアキー７３の何れが押されても処理動作を画像形成装置１の作動状況に応じて切り換えるようにしたり、その他のキーが押された際の処理動作を画像形成装置１の作動状況に応じて切り換えるようにしてもよい。
【００６４】
＜操作パネルの説明＞
図３は、本画像形成装置１の上面に設けられた操作パネル７を示している。この図に示すように、操作パネル７は表示部７Ａ及び操作部７Ｂを備えている。表示部７Ａは、液晶表示パネルによって構成されており、数字や記号だけでなく画像が表示可能となっている。この表示部７Ａはタッチパネルで構成されていることが好ましい。タッチパネルで構成されている場合、入力操作が容易になり、操作部７Ｂのキー配列が複雑になることがなく、この操作部７Ｂの構成を簡素化することができる。
【００６５】
操作部７Ｂは、画像形成装置１に対して設定や条件または処理動作などの指示を入力するためのものである。この操作部７Ｂとしては、画像形成枚数や部数などを入力するためのテンキー７１、画像出力動作を開始するためのスタートキー７２、入力された情報をクリアするためのクリアキー７３、設定された条件を全てクリアする全解除キー（ＣＡキー) ７４、複写モード・プリンタモード・ファクシミリモードなどを選択するためのモード選択キー７５、現在の画像形成ジョブの状況を選択表示するための指示を行うジョブステータス表示スキー７６などを備えている。
【００６６】
一方、表示部７Ａにおいては、上記操作表示部６Ｅの動作により、基本画面８１（図４参照）とジョブステータス画面８２（図５参照）とが表示切り換え可能となっている。この各画面の表示切り換えは、操作パネル７上のジョブステータス表示キー７６をユーザが押した際、その信号を操作表示部６Ｅが受信して表示部７Ａの表示を切り換えるようになっている。以下、各画面について説明する。
【００６７】
基本画面８１は、画像形成装置１における処理動作の条件の指示を入力するための画面であって、図４（コピーモードの基本画面）に示すように、例えばコピーモードであれば、装置全体の外観、および現在の装置の状態が表示されると共に、コピー濃度設定キー８１ａ、コピー用紙設定キー８１ｂ、コピー倍率設定キー８１ｃなどといった、コピー条件設定のための条件設定キーが表示されている。
【００６８】
ジョブステータス画面８２は、画像形成装置１におけるジョブ予約状況などの処理動作の状況を確認表示するための画面であって、図５に示すように、各ジョブを実施順に表示するメインステータス領域８２ａ、ジョブリスト領域（処理動作リスト領域) ８２ｂ、ジョブモードキー８２ｃなどが表示されている。 操作部７Ｂの操作によってジョブの予約が確定すると、ジョブの詳細がメインステータス領域８２ａに表示されるとともに、ジョブリスト領域８２ｂに上記ジョブの内容を示す、例えばアイコンが表示される。
【００６９】
メインステータス領域８２ａの表示については、特に限定されるものではないが、図５に示すように、上から順にジョブの情報が表示されるような構成になっている。ジョブステータス画面８２に表示されるジョブの情報としては、ユーザ名／モード名、セットした時間、セット枚数、現在の状況などが挙げられる。
【００７０】
また、表示部７Ａの表示面積の都合上、メインステータス領域８２ａに一度に表示できるジョブの数は限定され、例えば図５では４つとなっているが、これに限定されるものではない。さらに、メインステータス領域８２ａの右側には、アップダウンキー８２ｄが表示されており、このキー８２ｄを操作することによって、メインステータス領域８２ａに表示されていない上位または下位のジョブの情報を表示したり、ジョブを削除する際にその削除するジョブを選択できるようになっている。
【００７１】
上記ジョブリスト領域８２ｂは、ジョブステータス画面８２の一部に含まれており、図４に示すように、上記基本画面８１がジョブステータス画面８２の上に重ねて表示されても、ジョブリスト領域８２ｂだけは基本画面８１の背景としてそのまま残るようになっている。換言すれば、ジョブステータス画面８２の一部であるジョブリスト領域８２ｂは、その上に重ねられるように表示されている基本画面８１に遮られることなく、基本画面８１とともに常に表示部７Ａに表示されるようになっており、逆に、ジョブリスト領域８２ｂ以外のジョブステータス画面８２は、基本画面８１により隠されることになる。
【００７２】
このように本操作パネルの表示部７Ａでは、基本画面８１の表示状態で、ジョブステータス画面８２の内容を簡潔に示すジョブリスト領域８２ｂも同時に表示可能となっている。そのため、画像形成装置１に新たな指示を入力するために基本画面８１が表示されている場合でも、過去に入力された処理動作の内容をジョブリスト領域８２ｂで確認することができる。その結果、常に現在の画像形成装置の状況を確認した上で、新たな入力を実施することができるようになっている。
【００７３】
−ジョブキャンセル時の動作説明−
次に、予約されているジョブをキャンセルする際の動作について説明する。この動作としては、ジョブステータス画面８２上でジョブを選択してキャンセルする場合と、ジョブステータス画面８２を表示させることなしにジョブをキャンセルする場合とがある。前者のキャンセル動作は従来におけるキャンセル動作であり、後者のキャンセル動作は本形態の特徴とするキャンセル動作である。以下、各動作について説明する。
【００７４】
先ず、ジョブステータス画面８２上でジョブを選択してキャンセルする場合について説明する。この動作は図９を用いて既に説明した従来と同様の動作である。つまり、要約すると、操作パネル７上のジョブステータス表示キー７６を押して、図９（ｂ）に示すジョブステータス画面８２の全面を表示させる。このジョブステータス画面８２上において、キャンセルするジョブをアップダウンキー８２ｄの操作によって選択し、図９（ｃ）に示すようにジョブステータス画面８２上に表示されたデリート確認画面８３で「ＹＥＳ」を押す。更に、その後、操作パネル７が基本画面８１に戻った状態でデリート確認画面が再度表示され（図９（ｄ）参照）、この画面上で「ＹＥＳ」を押すことによって特定のジョブをキャンセルすることができる。図９に示すものでは、第１番目のジョブとして予約されている「１−複写モード」をキャンセルする場合を示している。
【００７５】
次に、ジョブステータス画面８２を表示させることなしにジョブをキャンセルする場合について説明する。この動作は、上記処理動作切換部６Ｍの動作によって行われるものであって、現在実行中のジョブを緊急停止させることが可能な動作である。例えば、処理モードの選択や画像形成条件の設定などを誤ったままジョブを実行させてしまった場合に、ジョブを緊急停止させることが可能な動作である。以下、この動作について図６のフローチャートに沿って説明する。
【００７６】
先ず、画像形成装置１の駆動中に、ステップＳＴ１においてユーザが全解除キー７４を押した場合、ステップＳＴ２において、現在、画像形成装置１は画像データの読み込み処理の実行中であるか否かが判定される。ここで、読み込み処理の実行中である場合には、ステップＳＴ３に移って画像データの読み込み処理をキャンセルし（取得動作の中止の処理を行い）、ステップＳＴ４においてキャンセル処理が終了すると、ジョブ管理部６Ｋに記憶されていたジョブを削除する。つまり、現在実行中のジョブ（画像データの読み込み処理中のもの）を中止する。この場合、次の予約ジョブが存在する場合には、そのジョブの実行に移る。
【００７７】
一方、上記ステップＳＴ２において、画像形成装置１は画像データの読み込み処理の実行中でないと判定された場合には、ステップＳＴ５に移って、複写モードの選択中であるか否かを判定する。この判定がＮＯである場合には、実行中の処理動作を中断することなく継続する。例えば、送信モードによる画像データの送信中（ファクシミリ送信モードであって、その画像データの送信中等）である場合には、その送信処理動作を中断することなく継続して行う。
【００７８】
そして、上記ステップＳＴ５において、複写モードの選択中であると判定した場合には、ステップＳＴ６に移り、現在、画像形成装置１は画像形成動作（印字処理）の実行中であるか否かが判定される。ここで、画像形成動作の実行中でない場合には、実行中の処理動作を中断することなく継続する。一方、現在、画像形成装置１は画像形成動作の実行中であると判定された場合には、この画像形成動作を一時的に中断する（ステップＳＴ７）。
【００７９】
その後、ステップＳＴ８において中断処理が完了すると、ステップＳＴ９で、操作パネル７の表示部７Ａに処理選択メッセージが表示される。その状態を図７に示す。この処理選択メッセージは、現在、一時的に中断させている画像形成動作をこのまま終了させるのか、それとも再開させるのかをユーザに確認するためのものである。
【００８０】
ステップＳＴ１０で、ユーザが処理方法を指定する操作を行い、この操作が「中止」を選択したものである場合（図７の画面上で「ＹＥＳ」が選択された場合）には、画像形成動作をこのまま終了させるべく、ジョブ管理部６Ｋから印刷ジョブを消去する（ステップＳＴ１１及びステップＳＴ１２）。その後、ステップＳＴ１３においてキャンセル処理が終了し、次の予約ジョブが存在する場合には、そのジョブの実行に移る。
【００８１】
一方、ステップＳＴ１０においてユーザが処理方法を指定するのを待機している状態で所定時間（ウエイトタイム）がタイムアップするとステップＳＴ１４からステップＳＴ１５に移って印刷ジョブを再開する。また、ステップＳＴ１１において、ユーザが指定した処理方法が「再開」である場合（図７の画面上で「ＮＯ」が選択された場合）にもステップＳＴ１５に移って印刷ジョブを再開する。
【００８２】
このように、本形態では、操作パネル７上に設けられた全解除キー７４が押された際の処理動作を、画像形成装置１の作動状況に応じて切り換えるようになっている。つまり、全解除キー７４に、これまでの機能に加えて他の機能をも付加し、その機能を画像形成装置１の作動状況に応じて切り換えるようにしている。例えば、本形態の場合、ユーザがファクシミリ送信を実行しようとした場合に、モード選択キー７５の操作を誤り、複写モードに設定してしまった場合、ユーザは、複写モードに設定されていることを知らずにテンキー７１の操作によって送信先のファクシミリ番号の入力操作を行うことになる。つまり、ユーザはテンキー７１の操作によって送信先のファクシミリ番号の入力を行ったつもりであっても、実際には複写モードにおける複写枚数の設定入力が行われたことになってしまう。このため、複数桁数で成るファクシミリ番号が複写枚数として設定されることになり、この状態でスタートキー７２を押して処理動作を実行させると、大量枚数の複写動作が開始されることになる。
【００８３】
この状況において、従来であればジョブステータス画面８２を開き、その画面上でジョブを指定してキャンセルせねばならなかった。
【００８４】
これに対し、本形態によれば、全解除キー７４を押すことで直ちに複写動作が停止し、しかも、この全解除キー７４を押した時点が読み込み処理の実行中である場合には、そのジョブを削除する一方、画像形成動作の実行中である場合には、そのジョブを削除するか否かをユーザに再確認させ、画像形成動作の実行中でない場合には、処理動作を継続させるようにしている。このため、キャンセル操作が完了するまでの間に大量に無駄な複写物が作製されてしまうといった従来の不具合を回避することができる。
【００８５】
また、操作パネル７上に新たにキーを設けることがないため、操作パネル７のキー配列の複雑化を招くことなしにその多機能化を図ることができる。
【００８６】
（第２実施形態）
次に、本発明に係る第２実施形態について説明する。本形態は、処理動作切換手段６Ｍによる処理動作が上述した第１実施形態のものと異なっており、それ以外の構成は第１実施形態のものと同様である。従って、ここでは、処理動作切換手段６Ｍによる処理動作についてのみ説明する。
【００８７】
図８は、本形態に係る処理動作切換手段６Ｍによる処理動作を示すフローチャートである。上記第１実施形態における図６のフローチャートと同一のステップについては同ステップ番号を付している。
【００８８】
この図８に示すように、本形態の処理動作では、第１実施形態に係るフローチャート（図６）におけるステップＳＴ５を有していない。つまり、ステップＳＴ２において、画像形成装置１は画像データの読み込み処理の実行中でないと判定された場合、現在実行中の処理モードが複写モードであるか否かを判定することなしに、画像形成装置１は画像形成動作（印字処理）の実行中であるか否かが判定される。そして、画像形成動作の実行中でない場合には、実行中の処理動作を中断することなく継続する。一方、現在、画像形成装置１は画像形成動作の実行中であると判定された場合には、この画像形成動作を一時的に中断して（ステップＳＴ７）、ステップＳＴ８以降の動作に移る。
【００８９】
このように、本形態では、画像形成動作の実行中である場合には、その処理モードに拘わりなく画像形成動作を一時的に中断し、ステップＳＴ９以降のユーザによる処理方法の指定動作を行うようにしている。このため、何れの処理モードが実行されている場合であっても、キャンセル操作が完了するまでの間に無駄な画像形成動作が行われてしまうといった不具合を回避することができる。
【００９０】
−その他の実施形態−
上述した実施形態では、複写モード、ファクシミリモード及びプリンタモードを備えた複合型デジタル画像形成装置に本発明を適用した場合について説明した。本発明は、これに限らず、その他の画像形成装置に対しても適用可能である。
【図面の簡単な説明】
【００９１】
【図１】実施形態に係る画像形成装置の内部構成の概略を示す図である。
【図２】画像形成装置の制御系の構成を示すブロック図である。
【図３】操作パネルを示す図である。
【図４】操作パネルの表示部に表示された基本画面を示す図である。
【図５】操作パネルの表示部に表示されたジョブステータス画面を示す図である。
【図６】第１実施形態に係るジョブキャンセル処理動作を示すフローチャート図である。
【図７】操作パネルの表示部に処理選択メッセージが表示された状態を示す図である。
【図８】第２実施形態に係るジョブキャンセル処理動作を示すフローチャート図である。
【図９】ジョブステータス画面上でジョブをキャンセルする際の操作パネルの表示部における表示切り換わり状態を示す図である。
【符号の説明】
【００９２】
１    画像形成装置
２    スキャナ部（画像データ取得手段）
３    画像形成部（画像出力手段）
６Ｋ  ジョブ管理部（ジョブ予約手段）
６Ｍ  処理動作切換部（制御手段）
７４  全解除キー（操作キー）
【図１】
2006103341.tif 000003
【図２】
2006103341.tif 000004
【図３】
2006103341.tif 000005
【図４】
2006103341.tif 000006
【図５】
2006103341.tif 000007
【図６】
2006103341.tif 000008
【図７】
2006103341.tif 000009
【図８】
2006103341.tif 000010
【図９】
2006103341.tif 000011